(57)【特許請求の範囲】
【請求項１】
印刷面を有する基材と、
前記印刷面の上に設けられ、励起光を吸収して励起することで可視域の波長を有する第１の蛍光を発し、当該第１の蛍光によって第１の情報の少なくとも一部を形成する第１の蛍光部と、
前記印刷面の上と、前記第１の蛍光部の上と、前記印刷面及び前記第１の蛍光部の間との少なくとも一つに設けられ、前記励起光を吸収して励起することで可視域から外れた帯域の波長を有する第２の蛍光を発し、当該第２の蛍光によって第２の情報を形成する第２の蛍光部と、
を具備し、
前記第２の蛍光部は、前記励起光を吸収して励起することで、可視域の波長を有する第３の蛍光をさらに発し、
前記第１の蛍光部及び前記第２の蛍光部は、前記第１の蛍光と前記第３の蛍光とによって前記第１の情報の少なくとも一部を形成する、
情報記録媒体。
【請求項２】
前記第１の蛍光は、赤色の蛍光、緑色の蛍光、及び青色の蛍光を含み、
前記第３の蛍光は、白色の蛍光を含み、前記第１の情報の赤色、緑色、及び青色の混合によって作られる色の部分と、白色の部分との少なくとも一部を形成する、
請求項１の情報記録媒体。
【請求項３】
印刷面を有する基材と、
前記印刷面の上に設けられ、励起光を吸収して励起することで可視域の波長を有する第１の蛍光を発し、当該第１の蛍光によって第１の情報の少なくとも一部を形成する第１の蛍光部と、
前記印刷面の上と、前記第１の蛍光部の上と、前記印刷面及び前記第１の蛍光部の間との少なくとも一つに設けられ、前記励起光を吸収して励起することで可視域から外れた帯域の波長を有する第２の蛍光を発し、当該第２の蛍光によって第２の情報を形成する第２の蛍光部と、
を有する情報記録媒体から情報を読み取る画像処理装置であって、
前記印刷面に向かって前記励起光を発する投光部と、
前記第２の蛍光を受ける受光部と、
前記受光部に接続され、前記受光部が受けた前記第２の蛍光から前記第２の情報を読み取る処理部と、
前記第２の情報の真の情報を記憶する記憶部と、
前記処理部と前記記憶部とに接続され、前記処理部から得た前記第２の情報と、前記記憶部から得た前記第２の情報の真の情報と、を比較することで前記情報記録媒体の真偽を判定する判定部と、
前記第１の蛍光を含む、可視域の波長を有する光、を受ける可視光受光部と、
を具備し、
前記処理部は、前記可視光受光部にさらに接続され、前記可視光受光部が受けた前記可視域の波長を有する光から前記第１の情報をさらに読み取り、
前記記憶部は、前記第１の情報の真の情報をさらに記憶し、
前記判定部は、前記処理部から得た前記第１の情報と、前記記憶部から得た前記第１の情報の真の情報と、を比較することで前記情報記録媒体の真偽をさらに判定する、
画像処理装置。
【請求項４】
前記第１の蛍光部が発する前記第１の蛍光を前記可視光受光部に向かわせ、前記第２の蛍光部が発する前記第２の蛍光を前記受光部に向かわせる分光部、をさらに具備する請求項３の画像処理装置。
【発明の詳細な説明】
【技術分野】
【０００１】
本発明の実施形態は、情報記録媒体及び画像処理装置に関する。
【背景技術】
【０００２】
ＩＤカードのような種々の情報記録媒体は、例えば、偽造品を製造されたり、写真や氏名のような情報を書き換える変造がされたりするおそれがある。情報記録媒体は、写真や氏名のような主な情報とは別に、このような偽変造を防止するための情報を有することがある。
【０００３】
偽変造を防止するための情報は、例えば、蛍光材料によって形成される。当該蛍光材料に例えば紫外線を照射することにより、自然光の下では視認し難い偽変造を防止するための情報が現れる。
【先行技術文献】
【特許文献】
【０００４】
【特許文献１】特開平１０−２５０２１１号公報
【発明の概要】
【発明が解決しようとする課題】
【０００５】
情報記録媒体の偽変造を防止するための技術は、開発からの時間の経過や普及によって一般に知られることがある。このため、より偽変造を防止できる新しい技術を情報記録媒体に付与することで、情報記録媒体の偽変造をより確実に防止することが求められる。
【０００６】
本発明が解決する課題の一例は、偽変造耐性がより高い情報記録媒体と、当該情報記録媒体の真偽判定が可能な画像処理装置を提供することである。
【課題を解決するための手段】
【０００７】
一つの実施の形態に係る情報記録媒体は、基材と、第１の蛍光部と、第２の蛍光部と、を具備する。前記基材は、印刷面を有する。前記第１の蛍光部は、前記印刷面の上に設けられ、励起光を吸収して励起することで可視域の波長を有する第１の蛍光を発し、当該第１の蛍光によって第１の情報の少なくとも一部を形成する。前記第２の蛍光部は、前記印刷面の上と、前記第１の蛍光部の上と、前記印刷面及び前記第１の蛍光部の間との少なくとも一つに設けられ、前記励起光を吸収して励起することで可視域から外れた帯域の波長を有する第２の蛍光を発し、当該第２の蛍光によって第２の情報を形成する。前記第２の蛍光部は、前記励起光を吸収して励起することで、可視域の波長を有する第３の蛍光をさらに発する。前記第１の蛍光部及び前記第２の蛍光部は、前記第１の蛍光と前記第３の蛍光とによって前記第１の情報の少なくとも一部を形成する。
【図面の簡単な説明】
【０００８】
【図１】図１は、第１の実施の形態に係るＩＤカードの一部を概略的に示す断面図である。
【図２】図２は、第１の実施形態の赤色蛍光部の発光特性の一例を示すグラフである。
【図３】図３は、第１の実施形態の緑色蛍光部の発光特性の一例を示すグラフである。
【図４】図４は、第１の実施形態の青色蛍光部の発光特性の一例を示すグラフである。
【図５】図５は、第１の実施形態の白色蛍光部の発光特性の一例を示すグラフである。
【図６】図６は、第１の実施形態のＩＤカードの一部を示す平面図である。
【図７】図７は、第１の実施形態の第１の情報を形成するＩＤカードの一部を示す平面図である。
【図８】図８は、第１の実施形態の第２の情報を形成するＩＤカードの一部を示す平面図である。
【図９】図９は、第１の実施形態の画像処理装置を概略的に示す図である。
【図１０】図１０は、第２の実施の形態に係る画像処理装置を概略的に示す図である。
【図１１】図１１は、第３の実施の形態に係る画像処理装置を概略的に示す図である。
【発明を実施するための形態】
【０００９】
以下に、第１の実施の形態について、図１乃至図９を参照して説明する。なお、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【００１０】
図１は、第１の実施の形態に係るＩＤカード１０の一部を概略的に示す断面図である。ＩＤカード１０は、情報記録媒体の一例であり、例えばカード、偽変造防止媒体、印刷媒体、印刷物又は情報表示物のようにも称され得る。なお、情報記録媒体はＩＤカード１０に限らず、パスポート、運転免許証、入館証、紙幣、有価証券、タグ、コンパクトディスク（ＣＤ）又はデジタルヴァーサタイルディスク（ＤＶＤ）のような種々の媒体であっても良い。
【００１１】
図１に示すように、ＩＤカード１０は、例えばカード状の基材１１を有している。基材１１は、例えば合成樹脂又は紙によって形成され、平坦な印刷面１２を有する。印刷面１２に、当該ＩＤカード１０の所有者の顔写真や氏名のような種々の情報が表示される。当該情報は、例えば、インクジェットプリンタのような印刷装置によって印刷される。
【００１２】
ＩＤカード１０は、複数の赤色蛍光部２１と、複数の緑色蛍光部２２と、複数の青色蛍光部２３と、複数の白色蛍光部２４とを有する。赤色蛍光部２１、緑色蛍光部２２、及び青色蛍光部２３は、第１の蛍光部の一例である。白色蛍光部２４は、第２の蛍光部の一例である。
【００１３】
赤色蛍光部２１、緑色蛍光部２２、青色蛍光部２３、及び白色蛍光部２４は、例えば、アンチストークス蛍光体を含有するインクによって形成される。赤色蛍光部２１、緑色蛍光部２２、青色蛍光部２３、及び白色蛍光部２４は、例えばインクジェットプリンタのような印刷装置によって印刷面１２に塗布され、例えばドット（点）を形成する。
【００１４】
アンチストークス蛍光体は、例えば、近赤外帯域の波長を有する励起光によって励起され、当該励起光の波長よりも短い波長を有する光（蛍光）を発する。なお、第１の蛍光部及び第２の蛍光部はこれに限られない。
【００１５】
赤色蛍光部２１、緑色蛍光部２２、青色蛍光部２３、及び白色蛍光部２４は、例えば、可視域の波長を有する光（可視光）を透過する。すなわち、赤色蛍光部２１、緑色蛍光部２２、青色蛍光部２３、及び白色蛍光部２４は、例えば、可視光の下では、ほぼ透明である。なお、赤色蛍光部２１、緑色蛍光部２２、青色蛍光部２３、及び白色蛍光部２４はこれに限らず、可視光の下で目視可能な色を有しても良い。
【００１６】
赤色蛍光部２１は、例えば、９００〜９８０ｎｍの波長を有する励起光を吸収することで励起される。赤色蛍光部２１は、励起されることにより、可視域の波長を有する蛍光を発する。
【００１７】
図２は、赤色蛍光部２１の発光特性の一例を示すグラフである。図２の縦軸は、赤色蛍光部２１が発する蛍光の光の強さを示す。図２の横軸は、赤色蛍光部２１が発する蛍光の波長を示す。
【００１８】
図２に示すように、赤色蛍光部２１が発する蛍光の波長は、約６５０〜６８０ｎｍである。このような赤色蛍光部２１が発する蛍光は、肉眼では赤色に見える。すなわち、赤色蛍光部２１は、可視光である赤色の蛍光を発する。赤色の蛍光は、第１の蛍光の一例である。
【００１９】
緑色蛍光部２２は、例えば、９００〜１０００ｎｍの波長を有する励起光を吸収することで励起される。緑色蛍光部２２は、励起されることにより、可視域の波長を有する蛍光を発する。
【００２０】
図３は、緑色蛍光部２２の発光特性の一例を示すグラフである。図３の縦軸は、緑色蛍光部２２が発する蛍光の光の強さを示す。図３の横軸は、緑色蛍光部２２が発する蛍光の波長を示す。
【００２１】
図３に示すように、緑色蛍光部２２が発する蛍光の波長は、約５２０〜５７０ｎｍである。このような緑色蛍光部２２が発する蛍光は、肉眼では緑色に見える。すなわち、緑色蛍光部２２は、可視光である緑色の蛍光を発する。緑色の蛍光は、第１の蛍光の一例である。
【００２２】
青色蛍光部２３は、例えば、９００〜１０００ｎｍの波長を有する励起光を吸収することで励起される。青色蛍光部２３は、励起されることにより、可視域の波長を有する蛍光を発する。
【００２３】
図４は、青色蛍光部２３の発光特性の一例を示すグラフである。図４の縦軸は、青色蛍光部２３が発する蛍光の光の強さを示す。図４の横軸は、青色蛍光部２３が発する蛍光の波長を示す。
【００２４】
図４に示すように、青色蛍光部２３が発する蛍光の波長は、約４６０〜４８０ｎｍである。このような青色蛍光部２３が発する蛍光は、肉眼では青色に見える。すなわち、青色蛍光部２３は、可視光である青色の蛍光を発する。青色の蛍光は、第１の蛍光の一例である。
【００２５】
白色蛍光部２４は、例えば、９００〜１０００ｎｍの波長を有する励起光を吸収することで励起される。白色蛍光部２４は、励起されることにより、可視域の波長を有する蛍光を発する。
【００２６】
図５は、白色蛍光部２４の発光特性の一例を示すグラフである。図５の縦軸は、白色蛍光部２４が発する蛍光の光の強さを示す。図５の横軸は、白色蛍光部２４が発する蛍光の波長を示す。
【００２７】
図５に示すように、白色蛍光部２４が発する蛍光は、約４６０〜４８０ｎｍの波長を有する蛍光（青色の蛍光）と、約５２０〜５７０ｎｍの波長を有する蛍光（緑色の蛍光）と、約６５０〜６８０ｎｍの波長を有する蛍光（赤色の蛍光）とを含む。白色蛍光部２４が発する青色の蛍光、緑色の蛍光、及び赤色の蛍光は、加法混合（混色）によって、肉眼では白色に見える。すなわち、白色蛍光部２４は、可視光である白色の蛍光を発する。白色の蛍光は、第３の蛍光の一例である。
【００２８】
さらに、白色蛍光部２４は、励起されることにより、可視域から外れた近赤外帯域である約７００〜７３０ｎｍの波長を有する蛍光を発する。すなわち、白色蛍光部２４は、不可視光である近赤外の蛍光（近赤外線）を発する。近赤外の蛍光は、第２の蛍光の一例である。
【００２９】
白色蛍光部２４が発する近赤外の蛍光の波長は、励起光の波長よりも短い。言い換えると、白色蛍光２４が発する近赤外の蛍光の波長は、励起光の波長から外れた帯域にある。なお、白色蛍光２４が発する近赤外の蛍光の波長と、励起光の波長とが、例えば部分的に重複していても良い。
【００３０】
赤色蛍光部２１は、例えば、Ｍｏｌｅｃｕｌａｒ  Ｔｅｃｈｎｏｌｏｇｙ  ＧｍｂＨ社のＦＳＤ−６６０（商品名）である。緑色蛍光部２２は、例えば、同社のＦＳＤ−５４６（商品名）である。青色蛍光部２３は、例えば、同社のＦＳＤ−４７５（商品名）である。白色蛍光部２４は、例えば、同社のＦＳＢ−３（商品名）である。なお、赤色蛍光部２１、緑色蛍光部２２、青色蛍光部２３、及び白色蛍光部２４はこれに限られない。
【００３１】
上述した赤色蛍光部２１、緑色蛍光部２２、青色蛍光部２３、及び白色蛍光部２４について説明した励起光及び蛍光の波長は、あくまで一例である。励起光、第１の蛍光、第２の蛍光、及び第３の蛍光の波長は、上記の波長と異なって良い。すなわち、第１の蛍光及び第３の蛍光の色は、赤、緑、青、及び白に限られない。さらに、第２の蛍光は、近赤外線に限られない。
【００３２】
図１に示すように、赤色蛍光部２１、緑色蛍光部２２、青色蛍光部２３、及び白色蛍光部２４は、印刷面１２に、例えば第１のドット３５、第２のドット３６、及び第３のドット３７を形成する。
【００３３】
赤色蛍光部２１、緑色蛍光部２２、及び青色蛍光部２３は、少なくとも部分的に重ねられて第１のドット３５を形成する。第１のドット３５を形成する赤色蛍光部２１、緑色蛍光部２２、及び青色蛍光部２３は、基材１１の印刷面１２の上に設けられる。第１のドット３５は、蛍光により、赤色蛍光部２１、緑色蛍光部２２、及び青色蛍光部２３のそれぞれの大きさや厚みに応じた色を表現する。
【００３４】
白色蛍光部２４は、第２のドット３６を形成する。第２のドット３６を形成する白色蛍光部２４は、基材１１の印刷面１２の上に設けられる。第２のドット３６は、蛍光により、白色蛍光部２４の大きさや厚みに応じた色を表現する。
【００３５】
赤色蛍光部２１、緑色蛍光部２２、青色蛍光部２３、及び白色蛍光部２４は、少なくとも部分的に重ねられて第３のドット３７を形成する。第３のドット３７を形成する白色蛍光部２４は、赤色蛍光部２１、緑色蛍光部２２、及び青色蛍光部２３の上に設けられる。なお、白色蛍光部２４は、赤色蛍光部２１、緑色蛍光部２２、及び青色蛍光部２３と、印刷面１２との間に設けられても良い。第３のドット３７は、蛍光により、赤色蛍光部２１、緑色蛍光部２２、青色蛍光部２３、及び白色蛍光部２４のそれぞれの大きさや厚みに応じた色を表現する。
【００３６】
赤色蛍光部２１、緑色蛍光部２２、青色蛍光部２３、及び白色蛍光部２４を印刷するインクジェットプリンタは、例えば、同量のインク滴を印刷面１２の同一地点に複数回吐出する。インク滴の吐出回数により、赤色蛍光部２１、緑色蛍光部２２、青色蛍光部２３、及び白色蛍光部２４の大きさや厚みが変わる。
【００３７】
印刷面１２に形成されるドットは、第１乃至第３のドット３５〜３７に限られない。例えば、赤色蛍光部２１、緑色蛍光部２２、及び青色蛍光部２３のいずれか一つ、又は二つによってドットが形成されても良い。
【００３８】
図６は、ＩＤカード１０の一部を示す平面図である。図６に二点鎖線で示すように、ＩＤカード１０の印刷面１２に、情報領域３１が設けられる。赤色蛍光部２１、緑色蛍光部２２、青色蛍光部２３、及び白色蛍光部２４は、当該情報領域３１に設けられる。
【００３９】
赤色蛍光部２１、緑色蛍光部２２、青色蛍光部２３、及び白色蛍光部２４がほぼ透明であるため、情報領域３１は、可視光の下では視認され難い。なお、情報領域３１は、可視光の下で視認可能であっても良い。
【００４０】
さらに、情報領域３１に、例えばインクによって、可視光の下で視認可能な種々の情報が印刷されても良い。例えば、基材１１に当該情報が印刷され、当該情報の上に透明な保護層が形成される。当該保護層が形成する印刷面１２の上に、赤色蛍光部２１、緑色蛍光部２２、青色蛍光部２３、及び白色蛍光部２４が設けられる。また、赤色蛍光部２１、緑色蛍光部２２、青色蛍光部２３、及び白色蛍光部２４の上に透明な保護層が設けられ、当該保護層の上に情報が印刷されても良い。
【００４１】
図７は、第１の情報４１を形成するＩＤカード１０の一部を示す平面図である。ＩＤカード１０が例えば９００〜９８０ｎｍの波長を有する励起光を受けると、印刷面１２に、肉眼で認識可能な第１の情報４１が出現する。第１の情報４１は、例えば、印刷面１２に形成された顔写真と同じ画像を表示し、当該顔写真と同じくＩＤカード１０の所有者を示す。なお、第１の情報４１はこれに限らず、例えば、図形や文字であっても良い。
【００４２】
励起された赤色蛍光部２１、緑色蛍光部２２、青色蛍光部２３、及び白色蛍光部２４が、赤色の蛍光、緑色の蛍光、青色の蛍光、及び白色の蛍光によって、第１の情報４１を形成する。第１の情報４１は、赤色蛍光部２１の赤色の蛍光、緑色蛍光部２２の緑色の蛍光、青色蛍光部２３の青色の蛍光、及び白色蛍光部２４の白色の蛍光によって形成されるカラー（多色）の画像である。なお、本明細書における画像は、文字を含む。
【００４３】
第１の情報４１は、カラーの画像に限らず、例えば、赤色の蛍光、緑色の蛍光、青色の蛍光、及び白色の蛍光の少なくとも一つによって形成されても良い。すなわち、第１の情報４１は、モノクロ（単色）の画像であっても良い。
【００４４】
第１の情報４１は、蛍光を発する赤色蛍光部２１、緑色蛍光部２２、青色蛍光部２３、及び白色蛍光部２４の少なくとも一つが形成する複数のドット（例えば、第１乃至第３のドット３５〜３７）の集合によって形成される。第１の情報４１の各ドットは、蛍光により、種々の色を表現する。
【００４５】
第１の情報４１の各ドットが蛍光により表現する色は、赤色（Ｒ）成分、緑色（Ｇ）成分、及び青色（Ｂ）成分の少なくとも一つを含む。第１の情報４１の各ドットが蛍光により表現する色は、赤色（Ｒ）成分、緑色（Ｇ）成分、及び青色（Ｂ）成分の比率によって変わる。例えば、白色、灰色、及び黒色は、赤色（Ｒ）成分、緑色（Ｇ）成分、及び青色（Ｂ）成分を等しく有する。
【００４６】
第１の情報４１の、赤色（Ｒ）成分、緑色（Ｇ）成分、及び青色（Ｂ）成分を有する色（例えば白色）の部分（混色部分）は、赤色の蛍光、緑色の蛍光、及び青色の蛍光によって形成され得る。赤色の蛍光、緑色の蛍光、及び青色の蛍光は、加法混合によって、肉眼では白色に見える。このため、第１の情報４１の混色部分は、赤色の蛍光、緑色の蛍光、青色の蛍光、及び白色の蛍光によって、又は白色の蛍光のみによっても形成され得る。すなわち、赤色（Ｒ）成分、緑色（Ｇ）成分、及び青色（Ｂ）成分を有する色を蛍光により表現するドットは、図１の第１のドット３５、第２のドット３６、又は第３のドット３７によって形成され得る。
【００４７】
図８は、第２の情報４２を形成するＩＤカード１０の一部を示す平面図である。ＩＤカード１０が例えば９００〜９８０ｎｍの波長を有する励起光を受けると、印刷面１２に第２の情報４２がさらに出現する。
【００４８】
第２の情報４２は、白色蛍光部２４の近赤外の蛍光によって形成される画像である。このため、第２の情報４２は、肉眼で認識困難であるが、例えば、近赤外線を受光可能なカメラによって認識され得る。
【００４９】
図８は、第１の情報４１を二点鎖線で示す。第１の情報４１の一部を形成する白色の蛍光を発する白色蛍光部２４は、近赤外の蛍光をさらに発し、第２の情報４２を形成する。すなわち、白色蛍光部２４は、白色の蛍光と近赤外の蛍光とを発することで、第１の情報４１の一部と、第２の情報４２とを形成する。肉眼で認識困難な第２の情報４２は、肉眼で認識可能な第１の情報４１の中に埋め込まれる。
【００５０】
上記のように、第１の情報４１の赤色（Ｒ）成分、緑色（Ｇ）成分、及び青色（Ｂ）成分を有する色を蛍光により表現するドットは、例えば、赤色蛍光部２１、緑色蛍光部２２、及び青色蛍光部２３によって形成される。当該ドットを形成する赤色蛍光部２１、緑色蛍光部２２、及び青色蛍光部２３は、選択的に白色蛍光部２４と置き換えられ得る。また、当該ドットを形成する赤色蛍光部２１、緑色蛍光部２２、及び青色蛍光部２３に、選択的に、白色蛍光部２４が上書きされ得る。このように、置き換え又は上書きされた白色蛍光部２４によって、第２の情報４２が形成される。
【００５１】
図９は、ＩＤカード１０から情報を読み取り、ＩＤカード１０の真偽を判定する画像処理装置６０を概略的に示す図である。図９に示すように、画像処理装置６０は、投光部６１と、第１の受光部６２と、第２の受光部６３と、分光フィルタ６４と、制御部６５と、記憶部６６と、表示部６７とを有する。第１の受光部６２は、可視光受光部の一例である。第２の受光部６３は、受光部の一例である。分光フィルタ６４は、分光部の一例である。制御部６５は、処理部７１と、判定部７２と、表示制御部７３とを備える。
【００５２】
本実施形態の画像処理装置６０は、ＣＰＵなどの制御装置と、ＲＯＭ（Ｒｅａｄ  Ｏｎｌｙ  Ｍｅｍｏｒｙ）やＲＡＭなどの記憶装置と、ＨＤＤ、ＣＤドライブ装置などの外部記憶装置と、キーボードやマウスなどの入力装置を備えており、通常のコンピュータを利用したハードウェア構成となっている。
【００５３】
本実施形態の画像処理装置６０で実行されるプログラムは、上述した各部（処理部７１、判定部７２、及び表示制御部７３）を含むモジュール構成となっており、実際のハードウェアとしてはＣＰＵ（プロセッサ）が上記記憶装置からプログラムを読み出して実行することにより上記各部が主記憶装置上にロードされ、処理部７１、判定部７２、及び表示制御部７３が主記憶装置上に生成されるようになっている。
【００５４】
投光部６１は、例えばＬＥＤライトであり、照射部、光源又は励起部とも称され得る。なお、投光部６１は他の器具であっても良い。図９に示すように、投光部６１は、所定の位置に配置されたＩＤカード１０の印刷面１２に向かって、例えば９００〜９８０ｎｍの波長を有する励起光Ｌ１を照射する。なお、投光部６１は、励起光Ｌ１のみならず、可視光を発しても良い。
【００５５】
投光部６１が発した励起光Ｌ１は、赤色蛍光部２１、緑色蛍光部２２、青色蛍光部２３、及び白色蛍光部２４に吸収される。これにより、赤色蛍光部２１、緑色蛍光部２２、青色蛍光部２３、及び白色蛍光部２４は励起し、可視蛍光Ｌ２を発する。可視蛍光Ｌ２は、第１の蛍光及び第３の蛍光の一例であり、上述の赤色の蛍光、緑色の蛍光、青色の蛍光、及び白色の蛍光を含む。励起した白色蛍光部２４は、不可視蛍光Ｌ３をさらに発する。不可視蛍光Ｌ３は、第２の蛍光の一例であり、上述の近赤外の蛍光を含む。
【００５６】
分光フィルタ６４は、例えば、約６９０ｎｍで分光するハーフミラーである。分光フィルタ６４は、反射面６４ａを有する。分光フィルタ６４は、例えば約６９０ｎｍよりも短い波長を有する光を透過させる。一方、分光フィルタ６４の反射面６４ａは、例えば約６９０ｎｍよりも長い波長を有する光を反射する。
【００５７】
分光フィルタ６４は、ＩＤカード１０の上に配置される。分光フィルタ６４の反射面６４ａは、例えば、ＩＤカード１０の印刷面１２に対して４５°傾斜する。なお、分光フィルタ６４の配置はこれに限られない。
【００５８】
第１の受光部６２は、例えば、可視光に基づいて画像を撮像可能なカメラである。第１の受光部６２は、第１のレンズ８１と、第１のセンサ８２とを有する。
【００５９】
第１のセンサ８２は、例えば、４５０〜６８０ｎｍの波長帯域に感度を有するカラーＣＣＤセンサ又はカラーＣＭＯＳセンサである。なお、第１のセンサ８２はこれに限られない。
【００６０】
第１の受光部６２は、第１のレンズ８１がＩＤカード１０に向くように、ＩＤカード１０の上に配置される。第１の受光部６２とＩＤカード１０との間に、分光フィルタ６４が配置される。
【００６１】
赤色蛍光部２１、緑色蛍光部２２、青色蛍光部２３、及び白色蛍光部２４が発した可視蛍光Ｌ２は、可視域である４６０〜６８０ｎｍの波長を有する光である。このため、分光フィルタ６４は、可視蛍光Ｌ２を通過させ、第１の受光部６２に向かわせる。
【００６２】
分光フィルタ６４を通過した可視蛍光Ｌ２は、第１のレンズ８１を介して第１のセンサ８２に入射する。すなわち、第１の受光部６２は、可視蛍光Ｌ２を受ける。第１のセンサ８２は、可視蛍光Ｌ２を電気信号に変換し、制御部６５に出力する。
【００６３】
第２の受光部６３は、例えば、近赤外線に基づいて画像を撮像可能なカメラである。第２の受光部６３は、バンドパスフィルタ８５と、第２のレンズ８６と、第２のセンサ８７とを有する。
【００６４】
バンドパスフィルタ８５は、白色蛍光部２４の発光特性に合致した特性を有し、不可視蛍光Ｌ３のみを透過させる。バンドパスフィルタ８５は、例えば、７００〜７３０ｎｍの波長を有する光のみを透過させる。バンドパスフィルタ８５は、第２のレンズ８６を覆う。
【００６５】
第２のセンサ８７は、例えば、７００〜７３０ｎｍの波長帯域に感度を有するモノクロＣＣＤセンサ又はモノクロＣＭＯＳセンサである。なお、第２のセンサ８７はこれに限られない。
【００６６】
第２の受光部６３は、例えば、第２のレンズ８６が分光フィルタ６４の反射面６４ａに向くように配置される。第２の受光部６３の光軸は、例えば、分光フィルタ６４の反射面６４ａに対して４５°傾斜する。
【００６７】
第２の受光部６３は、分光フィルタ６４の反射面６４ａを介して、第１の受光部６３と同軸上でＩＤカード１０を撮像可能なように配置される。さらに、第１の受光部６２と第２の受光部６３とは、光学系の倍率が等しくなるように構成される。これにより、第１の受光部６２と第２の受光部６３とは、ほぼ同じ向き且つほぼ同じ大きさのＩＤカード１０の画像を撮像可能である。なお、第１の受光部６２及び第２の受光部６３の配置はこれに限られない。
【００６８】
白色蛍光部２４が発した不可視蛍光Ｌ３は、近赤外帯域である７００〜７３０ｎｍの波長を有する光である。このため、分光フィルタ６４の反射面６４ａは、不可視蛍光Ｌ３を反射し、第２の受光部６３に向かわせる。
【００６９】
分光フィルタ６４の反射面６４ａに反射された不可視蛍光Ｌ３は、第２のレンズ８６を介して第２のセンサ８７に入射する。すなわち、第２の受光部６３は、不可視蛍光Ｌ３を受ける。第２のセンサ８７は、不可視蛍光Ｌ３を電気信号に変換し、制御部６５に出力する。
【００７０】
励起光Ｌ１は、ＩＤカード１０の印刷面１２と、分光フィルタ６４の反射面６４ａとに反射され、第２の受光部６３に到達することがある。励起光Ｌ１は、９００〜９８０ｎｍの波長を有する光であるため、バンドパスフィルタ８５によって遮断される。このように、バンドパスフィルタ８５は、励起光Ｌ１が第２のセンサ８７に入射することを防ぐ。
【００７１】
制御部６５の処理部７１は、可視蛍光Ｌ２を受けた第１の受光部６２が出力した電気信号を取得する。これにより、処理部７１は、第１の受光部６２が受けた可視蛍光Ｌ２から、第１の情報４１を読み取る。処理部７１は、第１のセンサ８２が電気信号に変換した可視蛍光Ｌ２に基づき、図７に示すような第１の情報４１の画像データを作成する。
【００７２】
さらに、処理部７１は、不可視蛍光Ｌ３を受けた第２の受光部６３が出力した電気信号を取得する。これにより、処理部７１は、第２の受光部６３が受けた不可視蛍光Ｌ３から、第２の情報４２を読み取る。処理部７１は、第２のセンサ８７が電気信号に変換した不可視蛍光Ｌ３に基づき、図８に示すような第２の情報４２の画像データを作成する。不可視蛍光Ｌ３は肉眼で視認困難だが、処理部７１は、第２の情報４２を肉眼で視認可能な画像データを作成する。
【００７３】
記憶部６６に、第１の情報４１の真の情報と、第２の情報４２の真の情報とが予め記憶される。第１の情報４１の真の情報は、正規のＩＤカード１０が形成する第１の情報４１である。すなわち、第１の情報４１の真の情報は、正しい第１の情報４１と合致する情報である。第２の情報４２の真の情報は、正規のＩＤカード１０が形成する第２の情報４２である。すなわち、第２の情報４２の真の情報は、正しい第２の情報４２と合致する情報である。
【００７４】
判定部７２は、処理部７１と、記憶部６６とに接続される。判定部７２は、処理部７１から第１の情報４１の画像データを取得するとともに、記憶部６６から第１の情報４１の真の情報を取得する。判定部７２は、処理部７１から取得した第１の情報４１と、記憶部６６から得た第１の情報４１の真の情報とを比較することで、ＩＤカード１０の真偽を判定する。
【００７５】
さらに、判定部７２は、処理部７１から第２の情報４２の画像データを取得するとともに、記憶部６６から第２の情報４２の真の情報を取得する。判定部７２は、処理部７１から取得した第２の情報４２と、記憶部６６から得た第２の情報４２の真の情報とを比較することで、ＩＤカード１０の真偽をさらに判定する。
【００７６】
例えば、処理部７１から取得した第１の情報４１と、第１の情報４１の真の情報とが一致する割合が閾値より低い場合、判定部７２は、ＩＤカード１０に偽造品の可能性があると判定する。処理部７１から取得した第１の情報４１と、第１の情報４１の真の情報とが一致する割合が閾値以上である場合、判定部７２は、第２の情報４２の真の情報を用いて、ＩＤカード１０の真偽をさらに判定する。
【００７７】
処理部７１から取得した第２の情報４２と、第２の情報４２の真の情報とが一致する割合が閾値以上である場合、判定部７２は、ＩＤカード１０が正規品であると判定する。一方、処理部７１から取得した第２の情報４２と、第２の情報４２の真の情報とが一致する割合が閾値より低い場合、第１の情報４１が真と判定されたとしても、判定部７２は、ＩＤカード１０に偽造品の可能性があると判定する。このように、判定部７２は、第１の情報４１と第２の情報４２とに基づいて、二重にＩＤカード１０の真偽を判定する。
【００７８】
表示部６７は、制御部６５に接続される。表示部６７は、例えば液晶ディスプレイのような画像を表示する装置である。表示制御部７３は、当該表示部６７を制御し、表示部６７に種々の情報を表示させる。
【００７９】
表示制御部７３は、ＩＤカード１０が正規品か否かについての情報を判定部７２から取得し、表示部６７に表示する。すなわち、判定部７２によってＩＤカード１０が正規品であると判定された場合、表示制御部７３は、ＩＤカード１０が正規品であると表示部６７に表示する。判定部７２によってＩＤカード１０に偽造品の可能性があると判定された場合、表示制御部７３は、ＩＤカード１０が偽造品である可能性を警告するメッセージを表示部６７に表示する。画像処理装置６０のオペレータは、当該警告を受け、ＩＤカード１０について別の装置によってさらに調べても良い。
【００８０】
なお、判定部７２は、判定結果を表示部６７ではない他の機器に出力させても良い。例えば、判定部７２は、スピーカに判定結果を音声出力させても良い。
【００８１】
第１の実施の形態において、ＩＤカード１０は、励起光（励起光Ｌ１）が照射された赤色蛍光部２１、緑色蛍光部２２、及び青色蛍光部２３が発する赤色の蛍光、緑色の蛍光、及び青色の蛍光によって、第１の情報４１の少なくとも一部を形成する。さらに、ＩＤカード１０は、励起光が照射された白色蛍光部２４が発する近赤外の蛍光によって、第２の情報４２を形成する。これにより、ＩＤカード１０は、肉眼で認識可能な第１の情報４１により真偽判定が可能であるのみならず、肉眼では認識困難な第２の情報４２によりさらなる真偽判定が可能である。したがって、ＩＤカード１０がより確実に真偽判定可能となり、偽変造耐性がより高まる。すなわち、ＩＤカード１０の偽変造が困難になるとともに、ＩＤカード１０の偽変造についてより確実な検出が可能となる。
【００８２】
励起された白色蛍光部２４は、白色の蛍光をさらに発する。そして、赤色蛍光部２１、緑色蛍光部２２、及び青色蛍光部２３及び白色蛍光部２４は、赤色の蛍光、緑色の蛍光、及び青色の蛍光と白色の蛍光とによって第１の情報４１を形成する。すなわち、第１の情報４１の一部を形成する白色の蛍光を発する白色蛍光部２４が、第２の情報４２を形成する近赤外の蛍光をさらに発する。このため、第２の情報４２が第１の情報４１の中に埋め込まれ、第２の情報４２が認識され難くなる。したがって、第２の情報４２について偽変造されることが抑制され、ＩＤカード１０の偽変造耐性がより高まる。
【００８３】
白色蛍光部２４が発する白色の蛍光は、第１の情報４１の赤色、緑色、及び青色の混合によって作られる色の部分と、白色の部分との少なくとも一部を形成する。これにより、赤色蛍光部２１、緑色蛍光部２２、及び青色蛍光部２３と白色蛍光部２４とを混在させて第１の情報４１をより自然な画像にすることが容易になり、第２の情報４２が認識され難くなる。したがって、第２の情報４２について偽変造されることが抑制され、ＩＤカード１０の偽変造耐性がより高まる。
【００８４】
白色蛍光部２４が発する近赤外の蛍光の波長は、励起光（励起光Ｌ１）の波長から外れた帯域にある。これにより、近赤外の蛍光によって形成される第２の情報４２を、例えば画像処理装置６０の第２の受光部６３によって容易に認識できる。したがって、ＩＤカード１０がより容易に真偽判定可能となる。
【００８５】
画像処理装置６０の処理部７１は、第２の受光部６３が受けた近赤外の蛍光（不可視蛍光Ｌ３）から第２の情報４２を読み取る。判定部７２は、処理部７１から得た第２の情報４２と、記憶部６６から得た第２の情報４２の真の情報とを比較することで、ＩＤカード１０の真偽を判定する。これにより、肉眼では認識困難な第２の情報４２に基づき、ＩＤカード１０の真偽判定が可能となる。
【００８６】
処理部７１は、第１の受光部６２が受けた可視蛍光Ｌ２から第１の情報４１を読み取る。判定部７２は、処理部７１から得た第１の情報４１と、記憶部６６から得た第１の情報４１の真の情報とを比較することで、ＩＤカード１０の真偽をさらに判定する。これにより、画像処理装置６０によってＩＤカード１０の二重の真偽判定を自動で行うことが可能となる。
【００８７】
分光フィルタ６４は、赤色蛍光部２１、緑色蛍光部２２、及び青色蛍光部２３が発する赤色の蛍光、緑色の蛍光、及び青色の蛍光を第１の受光部６２に向かわせ、白色蛍光部２４が発する近赤外の蛍光を第２の受光部６３に向かわせる。これにより、同軸上且つ光学倍率が等しくなる位置で赤色の蛍光、緑色の蛍光、及び青色の蛍光又は近赤外の蛍光をそれぞれ受けるように、第１の受光部６２と第２の受光部６３とを配置可能となる。したがって、処理部７１は、略同軸上で撮影され、且つ光学倍率がほぼ等しい第１の情報４１と第２の情報４２とを得ることができる。
【００８８】
以下に、第２の実施の形態について、図１０を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００８９】
図１０は、第２の実施の形態に係る画像処理装置６０を概略的に示す図である。図１０に示すように、第２の実施形態の画像処理装置６０は、分光フィルタ６４を有さない。第２の実施形態において、第１の受光部６２と第２の受光部６３とは、ＩＤカード１０からほぼ等距離に配置される。
【００９０】
制御部６５の処理部７１は、第１の受光部６２が受けた可視蛍光Ｌ２から、第１の情報４１を読み取る。処理部７１は、第１の情報４１の画像データを作成し、台形補正する。同様に、処理部７１は、第２の受光部６３が受けた不可視蛍光Ｌ３から、第２の情報４２を読み取る。処理部７１は、第２の情報４２の画像データを作成し、台形補正する。なお、処理部７１は、台形補正を行わなくても良い。
【００９１】
判定部７２は、台形補正された第１の情報４１と、記憶部６６から得た第１の情報４１の真の情報とを比較することで、ＩＤカード１０の真偽を判定する。さらに、判定部７２は、台形補正された第２の情報４２と、記憶部６６から得た第２の情報４２の真の情報とを比較することで、ＩＤカード１０の真偽を判定する。
【００９２】
第２の実施形態の処理部７１は、第１の情報４１及び第２の情報４２の画像データを台形補正する。これにより、分光フィルタ６４が省略され、画像処理装置６０の構造が簡略化される。
【００９３】
以下に、第３の実施の形態について、図１１を参照して説明する。図１１は、第３の実施の形態に係る画像処理装置６０を概略的に示す図である。図１１に示すように、第３の実施形態の画像処理装置６０は、第１の受光部６２及び分光フィルタ６４を有さない。
【００９４】
第３の実施形態において、第１の情報４１は、画像処理装置６０のオペレータによって目視確認される。例えば、画像処理装置６０のオペレータは、顔写真である第１の情報４１と、ＩＤカード１０の所有者の顔とを見比べることで、ＩＤカード１０の真偽を判定できる。このため、記憶部６６は、第１の情報４１の真の情報を記憶しなくても良く、記憶部６６が記憶するデータの容量が低減され得る。なお、記憶部６６が第１の情報４１の真の情報を記憶し、表示制御部７３が当該第１の情報４１の真の情報を表示部６７に表示しても良い。
【００９５】
第３の実施形態の画像処理装置６０において、表示制御部７３は、第１の情報４１の真の情報を表示部６７に表示する。これにより、画像処理装置６０のオペレータが目視でＩＤカード１０の真偽を判定でき、第１の受光部６２が省略されることで画像処理装置６０の構造が簡略化される。さらに、記憶部６６の容量が節約される。
【００９６】
以上説明した少なくとも一つの実施形態によれば、情報記録媒体は、第１の蛍光部に励起光が照射されると、当該第１の蛍光部が発する可視域の波長を有する第１の蛍光によって、第１の情報の少なくとも一部を形成する。さらに、情報記録媒体は、第２の蛍光部に励起光が照射されると、当該第２の蛍光部が発する可視域から外れた帯域の波長を有する第２の蛍光によって、第２の情報を形成する。これにより、情報記録媒体は、肉眼で認識可能な第１の情報により真偽判定が可能であるのみならず、肉眼では認識困難な第２の情報によりさらなる真偽判定が可能である。したがって、情報記録媒体がより確実に真偽判定可能となり、偽変造耐性がより高まる。
【００９７】
また、第２の蛍光の波長は、励起光の波長から外れた帯域にあっても良い。この場合、装置が、第２の蛍光によって形成される第２の情報を容易に認識でき、情報記録媒体をより容易に真偽判定可能となる。
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、出願当初の特許請求の範囲の内容を付記する。
［１］
印刷面を有する基材と、
前記印刷面の上に設けられ、励起光を吸収して励起することで可視域の波長を有する第１の蛍光を発し、当該第１の蛍光によって第１の情報の少なくとも一部を形成する第１の蛍光部と、
前記印刷面の上と、前記第１の蛍光部の上と、前記印刷面及び前記第１の蛍光部の間との少なくとも一つに設けられ、前記励起光を吸収して励起することで可視域から外れた帯域の波長を有する第２の蛍光を発し、当該第２の蛍光によって第２の情報を形成する第２の蛍光部と、
を具備する情報記録媒体。
［２］
前記第２の蛍光部は、前記励起光を吸収して励起することで、可視域の波長を有する第３の蛍光をさらに発し、
前記第１の蛍光部及び前記第２の蛍光部は、前記第１の蛍光と前記第３の蛍光とによって前記第１の情報の少なくとも一部を形成する、
［１］の情報記録媒体。
［３］
前記第１の蛍光は、赤色の蛍光、緑色の蛍光、及び青色の蛍光を含み、
前記第３の蛍光は、白色の蛍光を含み、前記第１の情報の赤色、緑色、及び青色の混合によって作られる色の部分と、白色の部分との少なくとも一部を形成する、
［２］の情報記録媒体。
［４］
印刷面を有する基材と、
前記印刷面の上に設けられ、励起光を吸収して励起することで可視域の波長を有する第１の蛍光を発し、当該第１の蛍光によって第１の情報の少なくとも一部を形成する第１の蛍光部と、
前記印刷面の上と、前記第１の蛍光部の上と、前記印刷面及び前記第１の蛍光部の間との少なくとも一つに設けられ、前記励起光を吸収して励起することで可視域から外れた帯域の波長を有する第２の蛍光を発し、当該第２の蛍光によって第２の情報を形成する第２の蛍光部と、
を有する情報記録媒体から情報を読み取る画像処理装置であって、
前記印刷面に向かって前記励起光を発する投光部と、
前記第２の蛍光を受ける受光部と、
前記受光部に接続され、前記受光部が受けた前記第２の蛍光から前記第２の情報を読み取る処理部と、
前記第２の情報の真の情報を記憶する記憶部と、
前記処理部と前記記憶部とに接続され、前記処理部から得た前記第２の情報と、前記記憶部から得た前記第２の情報の真の情報と、を比較することで前記情報記録媒体の真偽を判定する判定部と、
を具備する画像処理装置。
［５］
前記第１の蛍光を含む、可視域の波長を有する光、を受ける可視光受光部をさらに具備し、
前記処理部は、前記可視光受光部にさらに接続され、前記可視光受光部が受けた前記可視域の波長を有する光から前記第１の情報をさらに読み取り、
前記記憶部は、前記第１の情報の真の情報をさらに記憶し、
前記判定部は、前記処理部から得た前記第１の情報と、前記記憶部から得た前記第１の情報の真の情報と、を比較することで前記情報記録媒体の真偽をさらに判定する、
［４］の画像処理装置。
［６］
前記第１の蛍光部が発する前記第１の蛍光を前記可視光受光部に向かわせ、前記第２の蛍光部が発する前記第２の蛍光を前記受光部に向かわせる分光部、をさらに具備する［５］の画像処理装置。
【符号の説明】
【００９９】
１０…ＩＤカード、１１…基材、１２…印刷面、２１…赤色蛍光部、２２…緑色蛍光部、２３…青色蛍光部、２４…白色蛍光部、４１…第１の情報、４２…第２の情報、６０…画像処理装置、６１…投光部、６２…第１の受光部、６３…第２の受光部、６４…分光フィルタ、６６…記憶部、７１…処理部、７２…判定部、Ｌ１…励起光、Ｌ２…可視蛍光、Ｌ３…不可視蛍光。
【図１】
0006334333.tif 000002
【図２】
0006334333.tif 000003
【図３】
0006334333.tif 000004
【図４】
0006334333.tif 000005
【図５】
0006334333.tif 000006
【図６】
0006334333.tif 000007
【図７】
0006334333.tif 000008
【図８】
0006334333.tif 000009
【図９】
0006334333.tif 000010
【図１０】
0006334333.tif 000011
【図１１】
0006334333.tif 000012